(57)【特許請求の範囲】
【請求項１】
内鍋と、この内鍋を収容する内鍋収容口を有する炊飯器本体と、上記炊飯器本体の上記内鍋収容口の下部に設けられた内鍋加熱手段と、上記炊飯器本体の上記内鍋収容口の上部に開閉可能に設けられた蓋体と、この蓋体に設けられ、上記内鍋内を常圧よりも高い圧力に調整する圧力調整機構と、この圧力調整機構を作動制御する制御手段とを備えてなる電気炊飯器であって、上記炊飯器本体肩部の前後および左右に各々補強部材を設け、それらを保護枠を挟む状態で取り付けたことを特徴とする電気炊飯器。
【請求項２】
前後の補強部材と左右の補強部材とは、保護枠縁部を介して一部が相互に重なり合うように取り付けられていることを特徴とする請求項１記載の電気炊飯器。
【請求項３】
左右の補強部材は、少なくとも炊飯器本体の左右幅方向最大寸法部分を含んで設けられていることを特徴とする請求項１又は２記載の電気炊飯器。
【発明の詳細な説明】
【技術分野】
【０００１】
本願発明は、本体部の強度を向上させた圧力型電気炊飯器の構造に関するものである。
【背景技術】
【０００２】
最近では、ヒータや電磁誘導加熱手段などの電気的な加熱手段で加熱し、所定値以上の高圧力下で炊飯できるようにした圧力型の電気炊飯器が人気を呼んでいる。
【０００３】
このような圧力型の電気炊飯器は、一般に蓋体側に内鍋内の圧力を所定の圧力に保つ調圧弁を備えた圧力調整機構および本体又は蓋体側に当該圧力調整機構を作動制御するマイコン式の制御手段などを装備している。従って、圧力調整機構の調圧弁が閉じていると、調圧弁による圧力調整によって常圧を上回る所定の高圧力を保った状態での効率的な炊飯を行うことができ、炊飯時間を短縮し、また吸水のための浸漬工程を省略したり、かつ短くしても、芯の無い美味しいご飯を炊き上げることができるといった利点が生じる（例えば特許文献１を参照）。
【先行技術文献】
【特許文献】
【０００４】
【特許文献１】特開平９−１０３３５８号公報
【発明の概要】
【発明が解決しようとする課題】
【０００５】
上記のような圧力型の電気炊飯器においては、炊飯時の高い内部圧力により、蓋部を内側から押し上げる力により、炊飯器本体肩部の変形が生じやすく、蓋部と炊飯器本体側肩部との間に隙間を生じて蒸気漏れを生じさせる可能性がある。また、近年の炊飯器においては、同圧力構造の採用に加え、土鍋など内鍋の肉厚化による製品重量の増大により、梱包寸法が大きくなる傾向がある。
【０００６】
梱包寸法が大きくなると、当然ながら梱包コストも上昇する。
【０００７】
従来技術である上記特許文献１でも、蓋体が変形したり、この蓋体の閉塞状態を保持する掛止機構が急激に外れるのを防止するために、蓋本体の上板と下板との間に補強板を設けるとともに、同補強板は、蓋本体の一側を上記鍋本体に枢支し他側を鍋本体に掛止自在とするとともに、蓋本体の閉塞時に上記内蓋による鍋の密閉状態を保持して、鍋内の圧力により内蓋が上昇するのを阻止する構成を採用しているが、このような構成では、上述のような炊飯器本体肩部の変形は防止することはできない。
【０００８】
また、梱包寸法の縮小にも寄与し得ない。
【０００９】
この出願の発明は、このような問題を解決するためになされたもので、上記炊飯器本体の肩部に、前後の補強部材と左右の補強部材を設け、それらを保護枠を挟む状態で取り付けることにより、炊飯器本体肩部の強度を向上させた電気炊飯器を提供することを目的とするものである。
【課題を解決するための手段】
【００１０】
本願発明は、上記の目的を達成するために、次のような課題解決手段を備えて構成されている。
【００１１】
（１）  請求項１の発明
この発明の電気炊飯器は、内鍋と、この内鍋を収容する内鍋収容口を有する炊飯器本体と、上記炊飯器本体の上記内鍋収容口の下部に設けられた内鍋加熱手段と、上記炊飯器本体の上記内鍋収容口の上部に開閉可能に設けられた蓋体と、この蓋体に設けられ、上記内鍋内を常圧よりも高い圧力に調整する圧力調整機構と、この圧力調整機構を作動制御する制御手段とを備えてなる電気炊飯器であって、上記炊飯器本体肩部の前後および左右に各々補強部材を設け、それらを保護枠を挟む状態で取り付けたことを特徴とするものである。
【００１２】
このような構成によると、炊飯器本体側肩部の強度、剛性が向上し、内鍋内の圧力が高くなって、蓋体を押し上げるような力が作用した時にも肩部が変形するようなことがなくなり、周方向の全体に亘って均一な水平度を保つことができるようになる。
【００１３】
その結果、蓋体と炊飯器本体側肩部との間のシール性も維持される。
【００１４】
また、左右両側の補強部材が、炊飯器幅方向の強度、剛性を向上させるから、梱包時における炊飯器幅方向の緩衝材の寸法を拡大させなくて済むようになる。
【００１５】
（２）  請求項２の発明
この発明の電気炊飯器は、上記請求項１記載の発明の構成において、前後の補強部材と左右の補強部材とは、保護枠縁部を介して一部が相互に重なり合うように取り付けられていることを特徴としている。
【００１６】
このような構成によると、取付状態において、前後および左右各々の各補強部材が相互に連結、リンクされる形で保護枠に対して取り付けられることになるから、肩部周方向の全体を一層均一かつ強固に補強することになる。
【００１７】
その結果、周方向の全体に亘って、より均一な水平度を保つことができるようになり、上述した蓋体と炊飯器本体側肩部との間のシール性も一段と高くなる。
【００１８】
また、炊飯器幅方向の強度、剛性も、より向上する。
【００１９】
（３）  請求項３の発明
この発明の電気炊飯器は、上記請求項１又は２記載の発明の構成において、左右の補強部材は、少なくとも炊飯器本体の左右幅方向最大寸法部分を含んで設けられていることを特徴としている。
【００２０】
このような構成によると、特に炊飯器本体の左右幅方向最大寸法部分の強度、剛性が高くなる。
【００２１】
その結果、より確実に、梱包時における炊飯器幅方向の緩衝材の寸法を拡大させなくて済むようになる。
【発明の効果】
【００２２】
以上の結果、本願発明によると、次のような有益な効果を得ることができる。
【００２３】
（１）  従来の肩部構造に比べて、大きく強度が向上し、経年的な変形も生じないので、長期に亘って安定したシール性能を維持することができる。
【００２４】
したがって、製品の信頼性が高くなる。
【００２５】
（２）  製品の側面方向からの落下に対する耐衝撃力が向上し、梱包時の緩衝材の寸法を小さくすることができる。
【００２６】
その結果、販売・流通用のコストを削減することができる。
【図面の簡単な説明】
【００２７】
【図１】本願発明の実施の形態に係る電気炊飯器本体の構成を示す縦断面図である。
【図２】図１に示す電気炊飯器の炊飯器本体肩部における保護枠部分の構成を示す斜視図である。
【図３】図２に示す保護枠部分の構成を示す分解斜視図である。
【図４】図３の保護枠部に対して、さらに肩部材を組み合わせた図３と同様の分解斜視図である。
【図５】本願発明の実施の形態に係る電気炊飯器における肩部材部分の構成を示す平面図である。
【図６】本願発明の実施の形態に係る電気炊飯器の側部部分を示す一部断面図である。
【図７】同電気炊飯器の蓋体内の構成を示す下板上面側の斜視図である。
【図８】同電気炊飯器の内カバー上面部に設けられている圧力調整用球体弁部分の構成を示す斜視図である。
【図９】同電気炊飯器の内カバー上面部に設けられた圧力調整用球体弁とそれに対応して下板側に固定された電磁ソレノイドよりなる２組の圧力調整機構の構成（対応関係）を示す斜視図である。
【図１０】同電気炊飯器の内カバー上面部に設けられた圧力調整用球体弁とそれに対応して下板側に固定された電磁ソレノイドよりなる２組の圧力調整機構の構成（対応関係）を示す平面図である。
【図１１】同電気炊飯器の圧力調整機構１側の拡大断面図（図１０のＢ−Ｂ）である。
【図１２】同電気炊飯器の圧力調整機構２側の拡大断面図（図１０のＡ−Ａ）である。
【発明を実施するための形態】
【００２８】
以下、添付の図１〜図１２の図面を参照して、本願発明の実施の形態について詳細に説明する。
【００２９】
図１〜図１２には、本願発明の実施の形態にかかる電気炊飯器の全体および要部の構成が示されている。
【００３０】
＜炊飯器本体の構成＞
本願発明の実施の形態にかかる電気炊飯器における炊飯器本体１は、例えば図１に示すように、米および水を収容する内鍋３と、該内鍋３を任意に収納セットし得るように形成された下部側合成樹脂製の皿状の第１の保護枠（底壁部）４ａおよびその上部側の上下両端側が開口した筒状の第２の保護枠（側壁部）４ｂよりなる内ケース４と、該内ケース４を保持する外部筺体である有底筒状の外ケース１ａとによって構成されており、この炊飯器本体１の上部開口の一側（後部）には、該上部開口を開閉可能に覆蓋する蓋体２がヒンジユニット１１を介して開閉自在に取り付けられている。
【００３１】
上記内ケース４の下部を構成している第１の保護枠４ａの上面側には、例えば皿状のセラミック製等の遮熱プレート６が貼設されており、この遮熱プレート６の上方に内鍋３の底壁部（フラット面部およびアール面部）３ａが載置されるようになっている。この遮熱プレート６の中央には、上記第１の保護枠４ａ中央のセンターセンサー嵌挿穴１０ａに対応するセンターセンサー嵌挿穴６ａが設けられており、さらにその外周囲には、周方向に１２０゜の間隔を置いて、内鍋支持用の凸状パッキン６ｂ，６ｂ，６ｂを嵌装する嵌装孔が設けられている。そして、この嵌装孔内に、図示のようにシリコンゴム等の耐熱性が高く、弾性がある凸状パッキン６ｂ，６ｂ，６ｂが嵌装され、下部側第１の保護枠４ａのポケット部との間で安定した固定状態に支持されている。
【００３２】
そして、その上部に内鍋３の底壁部３ａの高台部分が当接する状態で内鍋３が後述する肩部材８部分に吊設されるようになっている。
【００３３】
ところで、この実施の形態の場合、上記第１の保護枠４ａと第２の保護枠４ｂは、それぞれ相互に別体に構成されており、第１の保護枠４ａの周壁部上端の段部４１部分に、上記遮熱プレート６の開口部６ｃ外周側フランジ部６ｄを介して、環状の枠部材４２を嵌合し、該環状の枠部材４２を介して、その上部４２ａ部分に第２の保護枠４ｂの下端側を載置嵌合して、内鍋３を収納し得る内ケース構造とするようになっている。
【００３４】
第２の保護枠４ｂは、合成樹脂製の筒状部材４０ａを中心とし、その上端側に所定幅水平方向外方に張り出した肩部材および各種補強部材等取付用の取付縁部４０ｃ，４０ｄ，４０ｅ，４０ｆを形成しているとともに、さらに同筒状部材４０ａの内周側には金属製の略同じ上下幅の筒状部材４０ｂが所定の隙間を保って２重筒構造に一体化されている。
【００３５】
そして、内鍋側金属製の筒状部材４０ｂの外周面には、炊飯および保温時において加熱手段として機能する例えばコードヒータ等よりなるヒータＨ１が設けられており、炊飯時および保温時において上記内鍋３の側壁部３ｂを有効かつ均一に加熱するようになっている。
【００３６】
さらに、同金属製の筒状部材４０ｂの下端側には、嵌合時において上記下方側皿状の遮熱プレート６の開口部６ｃ内周面に延設されて嵌合部を内外方向にシールするパッキン３５が取り付けられており、第１の保護枠４ａおよび遮熱プレート６の上端側に環状の枠部材４２を介して第２の保護枠４ｂを嵌合した時に、同パッキン３５のシール用縁部３５ａが遮熱プレート６の上端側開口部６ｃの内周面に隙間なく内接するようになっている（図６参照）。
【００３７】
一方、この時、上記環状の枠部材４２の下端と上記遮熱プレート６の上端側開口部６ｃの外端側外周のフランジ部６ｄとの間には、所定上下寸法の隙間Ｓ１が形成され、同隙間Ｓ１を介して水分が外方に排出されるようになっている。
【００３８】
また、上記パッキン３５の取付用基部３５ｂの内周面側には、収納された内鍋３の側部３ｂ下端部分と当接して内鍋３の中心位置を規制する凸状部３５ｃ，３５ｃ・・・が周方向に所定の間隔を保って設けられている。
【００３９】
一方、内鍋３の底壁部３ａの外周面および該底壁部３ａから側壁部３ｂ面に至る間の湾曲面における外周面には、内部に誘起されるうず電流によって自己発熱が可能な、例えば銀ペースト等の金属製の第１，第２の誘導発熱体Ｇ１，Ｇ２が個別に貼設されている。
【００４０】
そして、上記内ケース４の底壁部である第１の保護枠４ａの下方側にはコイル台９が設けられ、その周方向４方の下面部側にはフェライトコアが配置され、また、同コイル台９の上部側には、上記内鍋３の底壁部３ａの下面側と側部湾曲面側の上記第１，第２の各誘導発熱体Ｇ１，Ｇ２位置に対応して各々リッツ線が同心状に巻成された第１，第２の２組のワークコイルＣ１，Ｃ２が配設されており、それにより通電時には内鍋３の上記第１，第２の誘導発熱体Ｇ１，Ｇ２にうず電流を誘起して、内鍋３を間接的に加熱するようになっている。
【００４１】
なお、上記第１，第２のワークコイルＣ1，Ｃ２の一端は、図示しない整流回路および平滑回路を介した電源ラインに、また他端は、図示しないＩＧＢＴ（パワートランジスタ）のコレクタにそれぞれ接続されている。
【００４２】
また、上記外ケース１ａは、例えば合成樹脂材で形成された上下方向に筒状のカバー部材により形成されており、該カバー部材（即ち、外ケース１ａ）の上端部は、合成樹脂製の方形環状の肩部材８の外周縁部分が嵌合状態で結合され、その内鍋側の円形の開口部が上述した炊飯器本体１の開口部外周縁を形成している。また、上記カバー部材（即ち、外ケース１ａ）の下端部には、合成樹脂製の底ケース１ｂが結合され、上記内ケース４の第１の保護枠（底壁部）４ａとの間に所定の広さの断熱および通風空間部を形成している。
【００４３】
そして、上記内ケース４下方側の上記コイル台９の中央部には、上下方向に同心状に貫通したセンターセンサー嵌合口（センターセンサー収納空間部）が形成されており、該センターセンサー嵌合口に上下方向に昇降自在な状態で、かつ常時コイルスプリングにより上方に上昇付勢された状態でサーミスタ等の内鍋温度検知センサーよりなるセンターセンサーＣＳが設けられている。
【００４４】
ところで、上記内ケース４、外ケース１ａ、肩部材８、底ケース１ｂの各々は、高圧状態での炊飯がなされる圧力型の電気炊飯器の特性を考慮して、それぞれ十分な補強構造が採用されている。
【００４５】
中でも、高圧時には、フラットで平面方向の面積が大きい上記蓋体２に対して内鍋３側からの押し上げ圧力が大きく作用し、内ケース４と外ケース１ａの上端側に支持されている炊飯器本体側肩部材８部分を強く上方に引き上げることになる。
【００４６】
その結果、蓋体２と炊飯器本体１側との間に隙間が生じやすくなり、この状態が繰り返されることにより経年的に変形が生じて、場合によっては隙間が生じ、圧力漏れを生じることも想定される。また、変形が生じると、見映えも悪くなる。
【００４７】
また、近年の電気炊飯器では本件のように土鍋等が採用されることから、内鍋の厚み増による重量増、この実施の形態のような圧力機能搭載による重量増などで、炊飯器本体の重量が増加する傾向にある。その為、市場での落下時の本体破損を避ける為に梱包箱内の緩衝材や梱包箱自体の寸歩が大きくなる傾向にある。現状の梱包時の緩衝材は上下に入れて対応するようにしている。その為、横方向に落とされた際の衝撃を緩和する為にパットの横方向の寸法を大きくすることによって対応をしている。そのため、梱包箱の寸法も大きくなり、当然コストも増大している。
【００４８】
そこで、この実施の形態では、上記肩部材８が取り付けられる基幹部材である内ケース４の上部側第２の保護枠４ｂに対して、前後一対の補強部材３０，３１と左右一対の補強部材３２，３３とを設け（何れも金属製）、それぞれ第２の保護枠４ｂの前後、左右各部をそれらによって上下両側から挟む状態で強固に取り付けるようにし、上記第２の保護枠４ｂ部分の強度、剛性を大きく向上させることにより、上述のような問題を解決している（図２参照）。
【００４９】
今、図３、図４は、図１および図２に示す第２の保護枠４ｂの前後および左右の各々に対応する各一対の補強部材３０，３１、３２，３３をそれぞれ分解状態で示した斜視図であり、図４は、さらに肩部材８との対応を示したものである。また、図５は、第２の保護枠４ｂに対して前後左右各一対の補強部材３０，３１、３２，３３、ヒンジユニット取付片補強部材１１ａ等を介して肩部材８を取り付けた状態の下面図、図６は同補強材等取付状態における要部の構成を示す部分的な断面図である。
【００５０】
前後一対の補強部材３０，３１は、図示のように、第２の保護枠４ｂの上端の前後両側の各取付縁部４０ｃ，４０ｄの上面側に各々複数のネジを介して螺合締結されて一体化されているとともに、左右一対の補強部材３２，３３は、第２の保護枠４ｂの上端側左右取付縁部４０ｅ，４０ｆの下面側に位置して同取付縁部４０ｅ，４０ｆの下面に対して下方側から複数本のネジにより締結固定して一体化されている。
【００５１】
左右一対の補強部材３２，３３は、上記左右一対の補強部材取付縁部４０ｅ，４０ｆの左右方向の幅と略同等の幅を有し、その幅方向の一側面側（筒状部４０ａ側）に上記第２の保護枠４ｂの筒状部４０ａの円弧面に沿って係合する凹溝部３２ａ，３３ａを有するとともに、他側面側には補強用の鉤状のリブ３２ｆ，３３ｆを有し、かつ前後方向の長さが上記前後一対の補強部材取付縁部４０ｃ，４０ｄの前後両端側まで届きかつ、同前後方向両端部３２ｂ，３２ｃ、３３ｂ，３３ｃの内側部分が上記前後一対の補強部材取付縁部４０ｃ，４０ｄの両端部下方まで所定長さ延設されて、同延設部３２ｄ，３２ｅ、３３ｄ，３３ｅ部分が上記前後一対の補強部材３０，３１の左右両端３０ａ，３０ｂ、３１ａ，３１ｂ部分と所定長さ（かつ所定幅）オーバラップするようになっており、両者の螺合取付状態では相互に強固に連結されて一体化されるようになっている。
【００５２】
この場合、上記前後一対の補強部材３０，３１および左右一対の補強部材３２，３３は、一対のものが同一形状、同一寸法のものとなっており、何れも１種類のものを製作すれば足りるので、部品の種類を増やさなくて済むし、組付作業も楽である。
【００５３】
このように、上記炊飯器本体肩部の基幹部材である第２の保護枠４ｂの前後および左右に各々補強部材３０，３１、３２，３３を設け、それらを第２の保護枠４ｂの上端側縁部部分を挟む状態で取り付けて補強するようにすると、炊飯器本体１側肩部の強度、剛性が向上し、内鍋３内の圧力が高くなって、蓋体２を押し上げるような力が作用した時にも肩部材８が変形するようなことがなくなり、周方向の全体に亘って均一な水平度を保つことができるようになる。
【００５４】
その結果、蓋体２と炊飯器本体１側肩部との間のシール性も維持される。
【００５５】
また、左右両側の補強部材３２，３３が、炊飯器幅方向の強度、剛性を向上させるから、梱包時における炊飯器幅方向の緩衝吸収材の寸法を拡大させなくて済むようになる。
【００５６】
また、この実施の形態では、同構成において、前後の補強部材３０，３１と左右の補強部材３２，３３とは、第１の保護枠４ａの前後左右の取付縁部４０ｃ，４０ｄ、４０ｅ，４０ｆを介して一部が相互に重なり合うように取り付けられている。
【００５７】
このような構成によると、上記取付状態において、前後および左右各々の各補強部材３０，３１、３２，３３が相互に連結、リンクされる形で第２の保護枠４ｂに対して一体に取り付けられることになるから、肩部周方向の全体を一層均一かつ強固に補強することになる。
【００５８】
その結果、周方向の全体に亘って、より均一な水平度を保つことができるようになり、上述した蓋体２と炊飯器本体１側肩部との間のシール性も一段と高くなる。
【００５９】
また、炊飯器幅方向の強度、剛性も、より向上する。
【００６０】
しかも、この実施の形態では、上記左右の補強部材３２，３３は、少なくとも炊飯器本体１の左右幅方向最大寸法部分を含んで設けられている。
【００６１】
このような構成によると、特に炊飯器本体１の左右幅方向最大寸法部分の強度、剛性が高くなる。
【００６２】
その結果、より確実に、梱包時における炊飯器幅方向の緩衝材の寸法を拡大させなくて済むようになる。
【００６３】
これらの結果、同構成によると、次のような有益な効果を得ることができる。
【００６４】
（１）  従来の肩部構造に比べて、大きく強度が向上し、経年的な変形も生じないので、長期に亘って安定したシール性能を維持することができる。
【００６５】
したがって、製品の信頼性が高くなる。
【００６６】
（２）  製品の側面方向からの落下に対する耐衝撃力が向上し、梱包時の緩衝材の寸法を小さくすることができる。
【００６７】
その結果、販売・流通用のコストを削減することができる。
【００６８】
なお、左右一対の補強部材３２，３３の前後には、第２の保護枠４ｂの取付用ボス部材４０ｇ，４０ｇを挿通する穴３２ｈ，３２ｈ，３３ｈ，３３ｈや水平方向の係合凹部３２ｇ，３２ｇ，３３ｇ，３３ｇが設けられている。
【００６９】
一方、上記蓋体２は、その上部外周面を構成する合成樹脂製の上板２１と、該上板２１の内側（下側）に設けられた同じく合成樹脂製の下板２２と、該下板２２の本体部の内側（下側）にゴム製の第１のパッキン２５を介して重合固定される蓋ヒータ（図示省略）を有する金属製の放熱板２３と、該放熱板２３の下方に設けられ、その外周縁部分に合成樹脂製の着脱可能な枠部材２７を介してゴム製の第２のパッキンが取り付けられている金属製の内カバー２４とから形成されている。
【００７０】
そして、耐圧力強度を高めるために、中心となる上記下板２２本体部分の後端部２２ａの外周側部分を連結片２２ｂ、ネジ２２ｃを介してヒンジユニット１１側の連結片１１ｃに係止しているとともに、同下板２２の本体部上面には、所定の板厚、所定の構造の金属製の補強板および多数の補強リブを左右および前後に亘って設けることにより、当該蓋体２の全体を高強度の構造体に形成するようにしている。
【００７１】
すなわち、上記下板２２は、その本体部後端側外周２２ａの中間部分が上方に向けてコ字状に曲成され、内側に前述したヒンジユニット１１を収納しているとともに、その外周端側下降部はヒンジユニット１１をカバーしている。
【００７２】
そして、これら下板２２後端側外周２２ａの各部部分を取付ブラケットとして、上記蓋体２は、その後端側を、上記炊飯器本体１上部の開口部を形成している肩部材８に対してヒンジユニット１１を介して回動自在に取付けられており、その開放端側（前端側）には、該蓋体２の所定位置に係合して該蓋体２の上下方向への開閉を行うロックおよびロック解除機構１３が設けられている。
【００７３】
また、上記蓋体２の略中央部には、例えば図７〜図１２に示すように、お粘成分を回収しながら蒸気のみを外部に逃がすとともに炊飯工程に応じて内鍋３内の圧力を常圧、中圧（第１の圧力）、高圧（第２の圧力）の３段階に調節する第１，第２の調圧ユニット２６Ａ，２６Ｂが設けられている。
【００７４】
この第１，第２の２組の調圧ユニット２６Ａ，２６Ｂは、内鍋３内から外部に向けて迂回する第１，第２の２組の蒸気逃し通路５０，５０ａ〜５０ｃ、５０，５０ａ〜５０ｃと同第１，第２の各蒸気逃し通路５０，５０ａ〜５０ｃ、５０，５０ａ〜５０ｃに設けた２組の圧力調整機構１，２よりなっている。そして、同２組の圧力調整機構１，２は、上記第１，第２の蒸気逃し通路５０，５０ａ〜５０ｃ、５０，５０ａ〜５０ｃ各々の内カバー２４、放熱板２３部分の蒸気入口５０，５０の下流側（上方部）に位置して、例えば図７〜図１２に示すように、重さおよび大きさの異なる第１，第２の球体弁Ｂ１（大），Ｂ２（小）を設け、同第１，第２の球体弁Ｂ１，Ｂ２による蒸気逃し通路の開閉によって上記の３段階に調圧圧力を設定するようになっている。
【００７５】
これら第１，第２の球体弁Ｂ１，Ｂ２は、次に述べるように第１，第２の電磁ソレノイド（電磁プランジャ）ＥＳ１，ＥＳ２により電気的に選択して作動制御されるようになっている。
【００７６】
上記圧力調整機構１の第１の球体弁（大）Ｂ１はその自重により約１．２〜１．４気圧程度（以下、高圧という）に調圧出来るものであり、また圧力調整機構２の第２の球体弁体（小）Ｂ２は、その自重により約１．０３〜１．１気圧程度（以下、中圧という）に調圧出来るものである。
【００７７】
すなわち、圧力調整機構１は第１の蒸気逃し通路５０，５０ａ〜５０ｃの途中（上流部）に設けたバルブケーシングＣ１内の弁座Ｖ１の上部（凹溝部）に球体弁Ｂ１が着座する状態（通路閉状態）と同上部から逃げた状態（通路開状態）との２つの状態に駆動制御する電磁ソレノイドＥＳ１を備えて構成されており、第１の電磁ソレノイドＥＳ１がＯＮ作動することにより、上記高圧用の球体弁Ｂ１を蒸気抜き孔Ｈ１を有する弁座Ｖ１上に乗せる一方、ソレノイドＥＳ１がＯＦＦすると、同第１の電磁ソレノイドＥＳ１に接続されたスライダーＲ１がパッキンＰ１を介して球体弁Ｂ１を略水平方向に押し、同球体弁Ｂ１を弁座Ｖ１の蒸気抜き孔Ｈ１から離脱させるように作動する（図１１の矢印ａ，ｂ参照）。
【００７８】
他方、圧力調整機構２は、第２の電磁ソレノイドＥＳ２と、その作動ロッドＲ２、同作動ロッドＲ２によりスライドされるアングル状のプッシャーロッドＲ３と、このプッシャーロッドＲ３により下方側に押されて球体弁Ｂ２を押えるプッシャーＲ４と、プッシャー外周のパッキンＰ２、そしてプッシャーロッドＲ３を押し下げる方向に付勢するスプリングＳＰとから構成されており、電磁ソレノイドＥＳ２がＯＮすると、スプリングＳＰにより作動ロッドＲ２、プッシャーロッドＲ３が水平方向のソレノイドＥＳ２に近づく方向に動き、プッシャーロッドＲ３の回転軸ＸとスプリングＳＰの作用でプッシャーＲ４が垂直方向下向きに摺勤し、パッキンＰ２を介して約１．０５気圧用の球体弁Ｂ２が弁座Ｖ２の蒸気抜き孔Ｈ２に押しつけられる方向に荷重をかける。
【００７９】
また第２の電磁ソレノイドＥＳ２がＯＦＦすると、逆にプッシャーロッドＲ３がソレノイドＥＳ２から離れる方向に移動し、プッシャーロッドＲ３の回転軸Ｘを支点にプッシャーＲ４が垂直方向上向きに摺勤し、約１．０５気圧用の球体弁Ｂ２はその自重によってのみ蒸気抜き孔Ｈ２を塞ぐことになる（図１２の矢印ａ，ｂ，ｃ，ｄ参照）。
【００８０】
なお、この圧力調整機構２の第２の電磁ソレノイドＥＳ２がＯＮした時にプッシャーＲ４がパッキンＰ２を介して中圧用の球体弁Ｂ２を蒸気抜き孔Ｈ２側に押しつける時の荷重は、内鍋３内の圧力を１．２〜１．４気圧程度に上昇させ得る荷重に設定してあるため、この第２の電磁ソレノイドＥＳ２がＯＮしている時には、中圧用の球体弁Ｂ２が内鍋３内の圧力を調整するために作用するので（リリーフ作用）、実際に内鍋３内に作用する圧力は約１．２気圧位が最大となる。
【００８１】
これら２つの圧力調整機構１，２を組み合わせることで、次のように常圧を含む中圧、高圧の３つの圧力制御を実現することが出来る。
【００８２】
（１）圧力調整機構１：ＯＦＦで、圧力調整機構２:ＯＦＦの時→常圧
（２）圧力調整機構１：ＯＮで、圧力調整機構２:ＯＦＦの時→中圧
（３）圧力調整機構１：ＯＮで、圧力調整機構２:ＯＮの時→高圧
なお、上記蒸気逃し通路５０，５０ａ〜５０ｃには、上記圧力調整機構とは別に沸とうセンサー（蒸気センサー）ＶＳが設けられている。
【００８３】
また、上記放熱板２３の外周側は、上方側に略直角に曲成されて筒状壁に形成されているとともに、該筒状壁の一部（中間）を扁平に重合して半径方向外方に凸部を形成し、同凸部部分にゴム製の第１のパッキン２５の基部を嵌合している。
【００８４】
この第１のパッキン２５の先端は、次に述べる内カバー２４の外周縁部２４ａの上端に当接されるようになっている。
【００８５】
上記内カバー２４の外周縁部２４ａは、図２に示すように、クランク状に曲成されて、上下方向の筒状壁と該筒状壁の上端から半径方向外方に向けて水平に延びるフランジ部とが形成されている。
【００８６】
そして、同筒状壁とフランジ部との間の外方側コーナー空間を利用して、図１、図６に示すように、ゴム製の第２のパッキン１４が取り付けられている。この第２のパッキン１４は、断面フック型形状の基部１４ａを合成樹脂製の固定用枠部材２７の断面Ｈ型形状の内周側基部に係合する形で固定されており、同基部１４ａから下方に延びる筒状壁部が上記内カバー２４の筒状壁部と平行になる形で嵌合されている。
【００８７】
そして、同筒状壁部の下端からは、さらに半径方向外方に延びる所定の幅の水平部１４ｂが設けられ、該水平部１４ｂの外周端には、後述する内鍋３の開口部外周縁のフランジ部３ｃ上面に当接する第１のシール片１４ｃと同内鍋３開口部のネック部の内周面に当接する第２のシール片１４ｄとの２組のシール片が一体に設けられている。
【００８８】
そして、このような構成の第２のパッキン１４は、上述した枠部材２７の基部部分とその外周の把手片部分を介して上記内カバー２４の外周側クランク状の外周縁部２４ａの内側に係合固定することによって、図示のように固定されている。
【００８９】
一方、上記蓋体２の上板２１の前部中央には、当該炊飯器の操作部および表示部を構成する操作パネル６０嵌合用の開口部が、またその下部側の中板２０部分には、同操作パネル６０嵌合用の凹溝部が形成されており、同開口部および凹溝部部分に上板２１の外周面と連続する外周面を形成する形で、例えば透明なＡＢＳ樹脂製の操作パネル（銘板）６０が嵌合されてカバーされるようになっている。
【００９０】
該操作パネル６０は、そのパネル部裏側に所定の深さの基板および液晶パネル収納ボックスを備えてなり、圧力調整機構１，２の制御手段としてのマイコンを備えた第２の電気基板（マイコン基板）６０Ｂおよび液晶パネル６０Ａが上記上板２１の開口部および中板２０の凹溝部内に嵌合して収納されている。そして、その中央部には液晶パネル６０Ａの表示面に対応する透明窓を有するとともに、同透明窓の周囲に、タイマー炊飯用の炊飯予約スイッチ、炊飯スイッチ、保温スイッチ、取消スイッチ、炊飯メニュー（例えば白米、早炊き、おこわ、おかゆ、玄米その他のコースメニュー）を指定するメニュースイッチ、おこげ選択スイッチ、時計及びタイマーの時刻時・分設定スイッチの各種操作キーが設けられている。
【００９１】
一方、炊飯器器体１の内鍋収納口の開口部周縁を形成している上記肩部材８は、その内周側から外周側にかけて、内周壁８１側を上記内ケース４の上記第２の保護枠４ｂの筒状部４０ａ，４０ｂの上端に対して係合され、上端側周方向の略全体に内鍋３のフランジ部３ｃを係合する内鍋係合用の段部８２を形成している断面逆Ｕ字状の内鍋支持部と、該断面逆Ｕ字状の内鍋支持部の外周壁７３に設けた係合凸部８４を上記外ケース１ａの上端に係合している断面逆Ｕ字状の肩枠部とからなり、それらを相互に連続一体化して構成されている。
【００９２】
上記内鍋係合用の段部８２は、図６に示す左右方向の最大寸法位置（図５の矢印参照）では、把手溝を形成するために低く形成され、内鍋３のフランジ部３ｃとの間に指が入る隙間が形成されるようになっている。
【００９３】
また、上記肩枠部は、例えば図４および図５に示すように、前部８ａおよび後部８ｃ部分では比較的幅が広いが、左右最大寸法幅部分８ｄ，８ｅでは、非常に幅が狭くなっている。
【００９４】
したがって、この部分では、第２の保護枠４ｂも含めて落下時の耐衝撃力が最も弱い。このため、上述のように左右一対の補強部材３２，３３を取り付けることにより補強している。これにより最大幅寸法を大きくすることなく、耐衝撃強度を向上させることができる。また、高圧時の変形も防止することができる。
【００９５】
しかし、圧力型電気炊飯器の場合、すでに述べたように蓋体２自体も補強され、重量も大きくなっている。したがって、肩部材８の強度アップは、単に圧力作用部のみに限られず、例えば後端肩枠部８ｃ側のヒンジユニット取付片８ｂにおいても必要となる。
【００９６】
そこで、この実施の形態では、例えば図１、図４、図５に示すように、上記ヒンジユニット取付片８ｂ部分の後端側から、図４のようなヒンジユニット取付片補強部材（以下、単にヒンジ片補強部材という）１１ａが挿入係合されて、組付時に締結一体化されるようになっている。
【００９７】
このヒンジ片補強部材１１ａは、上下方向に延びるヒンジユニット取付片８ｂの下部側、肩枠部８ｃ下部の縦壁部分の嵌合溝に挿入嵌合されて、肩枠部８ｃの下面部と第２の保護枠４ｂの後部側補強部材取付用縁４０ｄ部分に螺合締結される上下２段、かつ左右一対の締結片７１ａ，７１ａ、７２ａ，７２ａと上下方向に所定の幅を有して、ヒンジユニット取付片８ｂの背面側に締結一体化される本体部７３とからなり、本体部７３の左右両端側上部には、上記ヒンジユニット取付片８ｂの両端側背面部に位置して、ヒンジユニット１１のヒンジ軸１１ｂを嵌合支持するヒンジ軸支持片７４ａ，７４ａが一体に設けられている。
【００９８】
そして、これを利用して、図１のようにヒンジユニット取付片８ｂおよび肩枠部８ｃが強固に補強されるとともにヒンジユニット１１のヒンジ軸１１ｂが安定した状態に支持される。
【００９９】
この結果、蓋体２の大きな重量にもかかわらず、肩部材８の後部の安定した剛性、形状が確保される。
【符号の説明】
【０１００】
１は炊飯器本体、２は蓋体、３は内鍋、４は内ケース、４ａは第１の保護枠、４ｂは第２の保護枠、８は肩部材、３０，３１は前後一対の補強部材、３２，３３は左右一対の補強部材、４０ａは合成樹脂製の筒状部材、４０ｂは金属製の筒状部材、４０ｃ，４０ｄは前後一対の補強部材の取付縁部、４０ｅ，４０ｆは左右一対の補強部材の取付縁部である。
【図１】
0005884174.tif 000002
【図２】
0005884174.tif 000003
【図３】
0005884174.tif 000004
【図４】
0005884174.tif 000005
【図５】
0005884174.tif 000006
【図６】
0005884174.tif 000007
【図７】
0005884174.tif 000008
【図８】
0005884174.tif 000009
【図９】
0005884174.tif 000010
【図１０】
0005884174.tif 000011
【図１１】
0005884174.tif 000012
【図１２】
0005884174.tif 000013